(57)【特許請求の範囲】
【請求項１】
液体を用いた装飾装置であって、
ノズルを備え、該ノズルから液体を噴射させるための噴射部と、
前記ノズルの噴射口と対向し、前記噴射部が噴射した液体が衝突する衝突板と、
超音波により液体のミストを発生させるミスト発生装置と、
光を照射する照射部と、を備え、
前記噴射部は、前記衝突板に衝突した液体が傘状に広がって曲面状の膜を形成するように前記ノズルから液体を噴射し、
前記ミスト発生装置は、前記膜の内側において前記ミストを発生させ、
前記照射部は、前記膜の内側に前記ミストが発生した状態で、前記膜の内側表面又は外側表面に向けて光を照射することを特徴とする液体を用いた装飾装置。
【請求項２】
前記照射部は、前記膜の内側に前記ミストが発生した状態で、前記膜の外側表面に映像を投影するために、前記膜の外表面に向けて光を照射することを特徴とする請求項１に記載の液体を用いた装飾装置。
【請求項３】
液体としての水が溜められるポットを更に備え、
前記ノズルが前記ポットの内側に立てられた状態で設けられており、
前記衝突板は、前記ポットの上方位置に配置され、
前記噴射部は、前記ポット内の水を送液するためのポンプを有し、該ポンプにより、前記膜の外側表面が前記ポットの外周壁よりも内側に位置するように、前記ポット内の水を汲み上げて前記ノズルから噴射し、
前記照射部は、ＬＥＤ照明を有し、前記膜の内側に前記ミストが発生した状態で、前記膜の内側表面に向けて前記ＬＥＤ照明からの光を照射することを特徴とする請求項１に記載の液体を用いた装飾装置。
【発明の詳細な説明】
【技術分野】
【０００１】
本発明は、インテリアや置物などの装飾装置に係り、特に、装飾効果のために液体を用いた装飾装置に関する。
【背景技術】
【０００２】
インテリアや置物などの装飾装置の一例として、装飾効果のために水等の液体を用いる装飾装置が既に知られている。かかる装飾装置は、液体が装置内を流れることによって生み出される視覚的効果により美観性を呈し、鑑賞対象として好まれるものである。
一方で、液体を用いた鑑賞対象として、水からなる映写スクリーン（水膜）等が知られている（例えば、特許文献１参照）。この水膜を形成する装置は、アミューズメント施設や各種展示会等のような人が集まる空間に配置され、液体と映像とを組み合わせた新規なオブジェを提供する。
【先行技術文献】
【特許文献】
【０００３】
【特許文献１】特開平１０−１４８８８７号公報
【発明の概要】
【発明が解決しようとする課題】
【０００４】
しかしながら、上述の水膜形成装置は、アミューズメント施設や各種展示会等で多数の人に向けて鑑賞対象たる水膜を提示する目的から比較的大型なものとなっており、上記の水膜を家庭内や個人的に楽しむためには装置のコンパクト化を図る必要がある。また、液体の利用による視覚的効果を屋内で堪能することが可能な仕様としつつ、鑑賞対象としての美観性を向上させる必要がある。
そこで、本発明は、上記の問題に鑑みてなされたものであり、その目的は、装飾効果のために液体を用いた装飾装置として、コンパクトで、かつ、屋内で堪能できる演出を提供可能なものを実現することである。
【課題を解決するための手段】
【０００５】
前記課題は、本発明の装飾装置よれば、液体を用いた装飾装置であって、ノズルを備え、該ノズルから液体を噴射させるための噴射部と、前記ノズルの噴射口と対向し、前記噴射部が噴射した液体が衝突する衝突板と、超音波により液体のミストを発生させるミスト発生装置と、光を照射する照射部と、を備え、前記噴射部は、前記衝突板に衝突した液体が傘状に広がって曲面状の膜を形成するように前記ノズルから液体を噴射し、前記ミスト発生装置は、前記膜の内側において前記ミストを発生させ、前記照射部は、前記膜の内側に前記ミストが発生した状態で、前記膜の内側表面又は外側表面に向けて光を照射することにより解決される。かかる装飾装置によれば、コンパクトで、かつ、屋内で堪能できる演出（視覚的演出）を提供することが可能である。
【０００６】
具体的に説明すると、本発明では、液体が傘状に広がって形成された曲面状の膜内に液体のミストを発生させることにより、膜内の空間が照明光の下で光の乱反射により白みがかって見えるようになる。これにより、従来の水膜形成装置と比して、よりコンパクトな構成で、液体の膜の外側表面に向けて光を照射して映像を投影することが可能になる。また、本発明の装飾装置が提供する視覚的効果には、上述した映像投影の他に、膜の内側から光を照射することにより生じる照明効果が挙げられる。これらの効果は、暗室の下では幻想的なものとなり、鑑賞者に対して安らぎを与え、屋内で堪能できる視覚的演出としては好適なものである。
【０００７】
また、上記の装飾装置において、前記照射部は、前記膜の内側に前記ミストが発生した状態で、前記膜の外側表面に映像を投影するために、前記膜の外表面に向けて光を照射することとしてもよい。かかる構成であれば、液体の膜に投影された映像を通じた視覚的効果を呈することが可能となる。
【０００８】
また、上記の装飾装置において、液体としての水が溜められるポットを更に備え、前記ノズルが前記ポットの内側に立てられた状態で設けられており、前記衝突板は、前記ポットの上方位置に配置され、前記噴射部は、前記ポット内の水を送液するためのポンプを有し、該ポンプにより、前記膜の外側表面が前記ポットの外周壁よりも内側に位置するように、前記ポット内の水を汲み上げて前記ノズルから噴射し、前記照射部は、ＬＥＤ照明を有し、前記膜の内側に前記ミストが発生した状態で、前記膜の内側表面に向けて前記ＬＥＤ照明からの光を照射することとしてもよい。かかる構成であれば、よりコンパクトなポット状の装飾装置が実現されると共に、上述の幻想的で安らぎを与える照明効果を得ることが可能になる。
【発明の効果】
【００１４】
本発明の装飾装置であれば、コンパクトな形状であり屋内で取り扱うことが容易になる一方で、照明効果によって屋内で堪能できる演出（視覚的演出）を提供することが可能になり、鑑賞対象としての美観性が向上する。
【図面の簡単な説明】
【００１５】
【図１】第１の装飾装置Ａ１の外観図である。
【図２】第１の装飾装置Ａ１の機器構成を示す概念図である。
【図３】第１の装飾装置Ａ１に係る外観形状の変形例である（その１）。
【図４】第１の装飾装置Ａ１に係る外観形状の変形例である（その２）。
【図５】第１の装飾装置Ａ１に関する他の用途を示す図である。
【図６】第２の装飾装置Ａ２の外観図である。
【図７】第２の装飾装置Ａ２の機器構成を示す概念図である。
【図８】第２の装飾装置Ａ２内で渦巻が発生している様子を示した図である。
【図９】図９Ａ〜図９Ｃは、第２の装飾装置Ａ２内における変化の様子を示す遷移図である。
【発明を実施するための形態】
【００１６】
以下、本実施形態に係る装飾装置について図面を参照しながら説明する。なお、以下では、２種類の装飾装置について説明し、一方を第１の装飾装置Ａ１と称し、他方を第２の装飾装置Ａ２と称する。
図１〜図５は、第１の装飾装置Ａ１に関する説明図である。具体的に説明すると、図１は、第１の装飾装置Ａ１の外観図である。図２は、第１の装飾装置Ａ１の機器構成を示す概念図である。図３及び４は、第１の装飾装置Ａ１に係る外観形状の変形例である。図５は、第１の装飾装置Ａ１に関する他の用途を示す図である。
図６〜図９Ｃは、第２の装飾装置Ａ２に関する説明図である。具体的に説明すると、図６は、第２の装飾装置Ａ２の外観図である。図７は、第２の装飾装置Ａ２の機器構成を示す概念図である。図８は、第２の装飾装置Ａ２内で渦巻が発生している様子を示した図である。図９Ａ〜９Ｃは、第２の装飾装置Ａ２内における変化の様子を示す遷移図である。
【００１７】
＜第１の装飾装置Ａ１について＞
先ず、第１の装飾装置Ａ１について説明する。第１の装飾装置Ａ１は、液体としての水を用いた装飾装置であり、図１に示す外観を呈し、主に屋内インテリアとして設置されるものである。特に、本発明の一実施形態において、第１の装飾装置Ａ１は、照明効果を奏する装飾装置である。すなわち、本実施形態に係る第１の装飾装置Ａ１は、屋内（例えば、展示場、レストラン・バー、ラウンジ等の飲食店、病院やロビー等の待合室、その他装飾空間のある場所）に配置して、屋内が暗くなった際に照明光を鑑賞するためのものである。
なお、第１の装飾装置Ａ１において用いられる液体は、水に限定されるものではなく、オイルや他の液状体であってもよい。
【００１８】
この第１の装飾装置Ａ１は、上述した効果（照明効果）を奏するための構成として、図２に示すように、水が溜められるポット１と、水を噴射させるための噴射部２と、噴射部２が噴射した水が衝突する衝突板３と、水のミストを発生させるミスト発生装置４と、光を照射する照射部５と、を備える。以下、各構成要素について説明する。
【００１９】
ポット１は、椀型の鉢状部材であり、その上端が開口端になっている。また、ポット１の内部空間には不図示の給水機構によって水が供給されると共に、当該内部空間には、後述するノズル６やポンプ７、ミスト発生装置４及びＬＥＤ照明８が収納されている。なお、ポット１の外形形状は、図１に示された形状に限定されず、例えば、図３に示されたコップ型の形状や、図４に示された丸底鉢型の形状等のように、他の形状であってもよい。
【００２０】
噴射部２は、パイプ状のノズル６と、ポット１内の水を送液するためのポンプ７とを有し、ポンプ７により、ポット１内の水を汲み上げてノズル６から噴射させるためのものである。なお、本実施形態において、ノズル６は、ポット１の内側（具体的には略中央部）に立てられた状態で設けられており、ホース６ｂを介してポンプ７に接続されている。ここで、ポンプ７は、モータの作動音が極力小さいもの（例えば、消音機構が備えられているもの）が望ましい。
一方、ノズル６の噴射口６ａと対向する位置には、ノズル６の噴射口６ａから噴射された水が衝突する衝突板３が設けられている。本実施形態において、衝突板３は、アクリル製の円盤部材であり、ノズル６の噴射口６ａとの間に隙間を形成した状態で、ポット１の上方位置（より具体的には、ノズル６の噴射口６ａの直上位置）に配置され、不図示の取り付け機構によってノズル６に取り付けられている。
【００２１】
そして、衝突板３に衝突した水は、衝突板３を中心として放射状に拡散し、衝突板３とノズル６の噴射口６ａとの間に形成された隙間を通って落下する。この結果、図１に示すように、衝突板３に衝突した水が傘状に広がって曲面状の膜（以下、水膜Ｍ）を形成するようになる。換言すると、噴射部２は、衝突板３に衝突した水が上記の水膜Ｍを形成するようにノズル６から水を噴射する。
【００２２】
ここで、ノズル６から噴射した水を衝突板３に衝突させて傘状の水膜Ｍを形成する技術については公知であり、本実施形態では当該公知技術を適用して傘状の水膜Ｍを形成することとした。なお、傘状とは、衝突板３を中心として下側開放の包みをなした形状を意味し、半球状、ドーム状、円錐状その他の形状を含むものである。
【００２３】
また、本実施形態では、ノズル６の噴射口６ａから噴射される流量等を調整することにより水膜Ｍのサイズや形状を変えることが可能である。一方、本実施形態では、水膜Ｍの外側表面がポット１の外周壁を超えて水がポット１外に行かないように、ノズル６からの水の噴射量が制限されている。すなわち、本実施形態に係る噴射部２は、ノズル６から噴射される流量を可変としながらも、水膜Ｍの外側表面がポット１の外周壁よりも内側に位置する範囲において、ポット１内の水を汲み上げてノズル６から噴射する。なお、ノズル６からの水の噴射量を変更する作業については、例えば、不図示のコントロールパネルにて行うことができることとしてもよい。
【００２４】
ミスト発生装置４は、水膜Ｍの内側にて水のミストを発生させる装置であり、本実施形態では超音波によってミストを発生させる公知の装置である。すなわち、ミスト発生装置４は、ポット１内に配置された状態で作動し、超音波により、ポット１内の水の液面に毛細表面波を発生させることによってミストを発生させるものである。
ここで、ミストを発生させる装置としては、超音波を利用するもの以外のもの（例えば、スプレー方式のミスト発生装置）も存在する。ただし、水膜Ｍを壊さないようにミストを発生させるという観点では、ミストを発生させるにあたり高圧噴霧を要しない方式としての超音波ミスト発生方式が好適である。
【００２５】
照射部５は、ポット１内に収容されたＬＥＤ照明８を有し、水膜Ｍの内側にミストが発生した状態で、水膜Ｍの内側表面に向けてＬＥＤ照明８からの光を照射するものである。ここで、水膜Ｍの内側に水のミストが発生すると、水膜Ｍ内の空間が、照明光の下において、光の乱反射によって白みがかって見えるようになる。かかる状態において、ＬＥＤ照明８を点灯すると、暗室において照射部５による照明が映えるようになる。すなわち、照射部５が照射したＬＥＤ照明８が水膜Ｍ内の空間で乱反射することにより、あたかも水膜Ｍ内の空間全体が発光しているように見える結果、幻想的であり鑑賞者に安らぎを与えるような照明効果が奏される。
【００２６】
なお、ＬＥＤ照明８のオンオフの切り替えについては、自動的に制御されることとしてもよく、ユーザが不図示のコントロールパネルにて操作することとしてもよい。
【００２７】
また、複数のＬＥＤ照明８を有し、適宜の間隔で照射部５が照射する光の色を変更することとしてもよい。かかる構成であれば、視覚的演出のバリエーションが増える結果、鑑賞対象としての美観性が向上するようになる。なお、使用するＬＥＤ照明８の切り替えについては、自動的に制御されることとしてもよく、ユーザが上記のコントロールパネルにて操作することとしてもよい。
【００２８】
以上のような構成を有する第１の装飾装置Ａ１では、図１に示すように、ポット１の上方に傘状の水膜Ｍが形成され、水の流れによる清涼感と、鑑賞対象としての美観とを呈するようになる。さらに、暗室において使用すれば、前述したように、照射部５が照射したＬＥＤ照明８が水膜Ｍ内の空間で乱反射して、あたかも水膜Ｍ内の空間全体が発光しているように見える結果、幻想的であり鑑賞者に安らぎを与えるような照明効果が奏される。
【００２９】
以上までに説明してきた第１の装飾装置Ａ１では、照射部５が、ポット１内に収納されたＬＥＤ照明８の光を、水膜Ｍの内側表面に向けて照射することとしたが、これに限定されるものではなく、水膜Ｍの外側に位置した光源からの光を水膜Ｍの外側表面に向けて照射する構成であってもよい。
【００３０】
上記の構成についてより詳しく説明すると、水膜Ｍの内部空間にミストが発生することにより、当該内部空間が光の乱反射によって白みがかって見えるようになるので、水膜Ｍの外側表面に映像を投射することが可能になる。つまり、第１の装飾装置Ａ１において、水膜Ｍを映写スクリーンとして用いることが可能であり、照射部５としてのプロジェクターが、水膜Ｍの内側にミストが発生した状態で、水膜Ｍの外側表面に映像を投影するために水膜Ｍの外表面に向けて光を照射することとしてもよい。この結果、図５に示すように、水膜Ｍに映像が投影され、かかる視覚的効果により鑑賞品としての美観性を向上させることが可能になる。
【００３１】
なお、第１の装飾装置Ａ１については、上記の構成に加えて、音響装置（不図示）が更に備えられていることとしても良い。かかる音響装置は、照明部５による光の照射又は映像の投影に合わせて（調和させて）音楽や音を流す装置である。第１の装飾装置Ａ１に上記の音響装置が備えられていれば、上述した照明効果又は視覚的効果と音響装置による音響効果との調和によって、第１の装飾装置Ａ１が提供する演出の質（例えば、エンターテインメント性）を高めることが可能になる。
【００３２】
＜第２の装飾装置Ａ２について＞
次に、第２の装飾装置Ａ２について説明する。第２の装飾装置Ａ２は、液体としての水を用いた装飾装置であり、図６に示す外観を呈し、主に装飾家具として設置されるものである。特に、本実施形態に係る第２の装飾装置Ａ２は、高さ方向の略中央位置にリング状の張り出し部Ｈを備えてスタンドテーブルとして機能すると共に、視覚的演出として後述の渦巻を発生させ、当該渦巻を鑑賞対象として美麗に見せるためのものである。
なお、第２の装飾装置Ａ２において用いられる液体についても、水に限定されるものではなく、オイルや他の液状体であってもよい。
【００３３】
第２の装飾装置Ａ２は、図６に示すように、主たる構成要素として、支柱をなすスタンド部Ｓと、スタンド部Ｓの高さ方向中央部に位置するリング状の張り出し部Ｈとを有する。スタンド部Ｓは、その内部に水の渦巻Ｔを発生させて、照明により渦巻Ｔを美麗に見せる機能を有している。張り出し部Ｈは、その穴にスタンド部Ｓが通った状態で、不図示の支持機構によりスタンド部Ｓに支持され、置き台として機能する。このような構成を有する第２の装飾装置Ａ２においては、スタンド部Ｓが視覚的演出を提供するものとして機能するのであり、以下の説明では、スタンド部Ｓの構成を中心として説明する。
【００３４】
スタンド部Ｓは、図７に示すように、透明アクリルパイプからなる第１収容部１０と、第１収容部１０の下部に位置する第２収容部１１と、第１収容部１０と第２収容部１１との間に位置する仕切板１２と、連通管としての落下管１３と、第２収容部１１内の水を第１収容部１０内に送液する送液部１４と、第１収容部１０の内部に向けて光を照射する照射部１５とを有する。以下、各構成要素について説明する。
【００３５】
第１収容部１０は、内部に水が収容される中空状の円筒部材である。第１収容部１０は、スタンド部Ｓの上側部をなし、その上端については蓋により封止されている。また、前述したように、第１収容部１０は、透明のアクリルパイプからなり、その内部を視認することが可能である。すなわち、第１収容部１０は、光透過性を有していることになる。
【００３６】
第２収容部１１は、第１収容部１０の下部に位置し、内部に液体が収容される中空体であり、例えば、第１収容部１０を構成するアクリルパイプと略同径のパイプ部材から構成される。第２収容部１１を構成するパイプ部材については、不透明であるので、第２収容部１１の内部が視認されない構成になっている。ただし、これに限定されるものではなく、第２収容部１１の内部についても視認可能な構成であってもよい。
【００３７】
仕切板１２は、第１収容部１０の内部と第２収容部１１の内部とを仕切るために配置された透明なアクリル板であり、第１収容部１０及び第２収容部１１の間に位置している。特に、本実施形態に係る仕切板１２は、第１収容部１０を構成するアクリルパイプが嵌合する継手（不図示）と、第２収容部１１を構成するパイプ部材が嵌合する継手（不図示）との間にフランジ止めにて取り付けられている。
【００３８】
また、仕切板１２の中央部には、貫通孔１２ａが形成されており、貫通孔１２ａには落下管１３が嵌挿されている。落下管１３は、仕切板１２よりも下側に延出し、第１収容部１０の内部と第２収容部１１の内部とを連通させる。これにより、第１収容部１０内の水が第２収容部１１に向けて落下するようになる。
【００３９】
送液部１４は、２つのノズル１６と、第２収容部１１内の水を送液するためのポンプ１７とを有する。２つのノズル１６は、ホース１６ｂを介してポンプ１７に接続されており、その噴射口１６ａについては、いずれも第１収容部１０の内部に位置するように設けられている。そして、送液部１４は、ポンプ１７によって、第２収容部１１内の水を汲み上げて各ノズル１６から噴射し、第２収容部１１内の水を第１収容部１０内に送液する。この際、送液部１４による第１収容部１０内への送液速度が、落下管１３を通じた水の落下速度（換言すると、第１収容部１０からの排水速度）が上回れば、第１収容部１０内に水が溜まって液層が形成されるように、徐々に液層の高さ（すなわち、水嵩）が増すこととなる。なお、ポンプ１７については、モータの作動音が極力小さいもの（例えば、消音機構が備えられているもの）が望ましい。
【００４０】
送液部１４の構成についてより詳しく説明すると、前述した２つのノズル１６のうち、一方のノズル１６の噴射口１６ａは、他方のノズル１６の噴射口１６ａよりも上側に位置する（図７参照）。さらに、一方のノズル１６の噴射口１６ａは、第１収容部１０の外周方向（周方向に相当する）において他方のノズル１６の噴射口１６ａとは異なる位置（具体的には、略１８０度ずれた位置）に位置する。なお、各ノズル１６の噴射口１６ａの向きは、第１収容部１０の周方向から見て同じ向き（具体的には、噴射された水が同じ方向に流れる向き）となっている。
【００４１】
そして、送液部１４は、各ノズル１６から第１収容部１０の外周面に沿って水を噴射する。つまり、送液部１４は、各ノズル１６から噴射された水の流れが第１収容部１０の外周方向（周方向に相当する）に沿うように、各ノズル１６から水を噴射する。なお、前述したように、各ノズル１６から噴射された水の流れは、第１収容部１０の周方向から見て同じ向き（並流）になっている。
【００４２】
第１収容部１０内では、上記の如く水が噴射されて第１収容部１０内を流れるようになるので、第１収容部１０内への水の送液速度が第２収容部１１内への水の落下速度を上回る場合には、図８に示すように、第１収容部１０内に形成された液層中に渦巻Ｔが発生するようになる。なお、本実施形態では、前述したように、ノズル１６が２つ設けられており、各ノズル１６の噴射口１６ａが、同じ向きを向いており、かつ、第１収容部１０の外周方向において互いに異なる位置に位置している。このため、本実施形態では、ノズル１６が１つのみ備えられている場合に比して、第１収容部１０内で渦巻Ｔを発生させることがより容易になっている。
【００４３】
そして、第１収容部１０内への水の送液が進行すると、液層の高さ（すなわち、水嵩）が徐々に増していくのに従って、渦巻Ｔの高さも高くなっていく。その後、液層の高さが所定の厚みに達すると、第１収容部１０内への水の送液が中断され、以降、第１収容部１０内の水は、落下管１３を通じて第２収容部１１内に落下し、第１収容部１０内において液層の高さが徐々に減少し、これに伴って渦巻Ｔの高さも短くなっていく。
【００４４】
より具体的に説明すると、本実施形態では、第１収容部１０の内部の容積が、第２収容部１１に収容される水の量よりも大きくなっている。したがって、第１収容部１０内へ水を送液し始めると、徐々に第１収容部１０内に形成される液層の高さが増す一方で、第２収容部１１内の水が徐々に減少する（図９Ａ参照）。そして、第２収容部１１内の水がなくなると、ポンプ１７が空運転をするようになる結果、第１収容部１０の内部への送液が中断され、第１収容部１０内の水が落下管１３を通じて第２収容部１１内に落下するようになる（図９Ｂ参照）。これにより、第２収容部１１内に水が再び溜まり出すようになる（図９Ｃ参照）。一方、ポンプ１７は、第１収容部１０への送液を再開するのに十分な量の水が第２収容部１１内に溜まるまで空運転を実施し、十分な水が第２収容部１１に溜まった時点で第１収容部１０への送液を再開する。
【００４５】
以上のような動作が繰り返されることにより、第１収容部１０内で発生する渦巻Ｔは、上下方向（スタンド部Ｓの高さ方向）に伸縮するようになる。すなわち、本実施形態では、渦巻Ｔの高さにも変化が生じ、この結果、視覚的に鑑賞者を飽きさせない演出（視覚的演出）を提供することが可能になる。
【００４６】
照明部１５は、仕切板１２の下部に配置されたＬＥＤ照明１８を有する。ここで、仕切板１２は、透明なアクリル板であるので、ＬＥＤ照明１８が点灯すると、その光（照明光）が仕切板１２を透過して第１収容部１０内に到達するようになる。
【００４７】
そして、照明部１５は、第１収容部１０内に形成された液層中に渦巻Ｔが発生している間に、第１収容部１０の内部に向けてＬＥＤ照明１８からの照明光を照射する。これにより、渦巻Ｔ（特に、頂上部）は、ＬＥＤ照明１８からの照明光によってライトアップされて美麗に見せることが可能になる。つまり、第１収容部１０内に発生した渦巻Ｔは、ＬＥＤ照明１８の照明によってライトアップされる結果、暗室の下では幻想的なものとなり、鑑賞者に対して安らぎを与え、屋内で堪能できる視覚的演出としては好適なものとなる。
【００４８】
また、本実施形態において、照射部１５は、複数のＬＥＤ照明１８を有し、第１収容部１０内に形成された液層中に渦巻Ｔが発生している間に、第１収容部１０の内部に向けて照射する光の色を変更することが可能である。かかる構成であれば、視覚的演出のバリエーションが増える結果、鑑賞対象としての美観性が向上するようになる。なお、使用するＬＥＤ照明１８の切り替えについては、自動的に制御されることとしてもよく、ユーザが不図示のコントロールパネルにて操作することとしてもよい。
【００４９】
さらに、前述したように渦巻Ｔが上下方向に伸縮するので、かかる渦巻Ｔの高さの変化（すなわち、渦巻Ｔの動き）とＬＥＤ照明１８による照明効果とが相俟って、上述の照明効果がより一層効果的に奏されるようになる。
【００５０】
以上のような構成を有する第２の装飾装置Ａ２では、図８に示すように、第１収容部１０内に形成された水の液層中に渦巻Ｔを発生させて、照明により渦巻Ｔを美麗に見せる視覚的演出が提供される。つまり、第２の装飾装置Ａ２では、幻想的であり鑑賞者に安らぎを与えるような照明効果が奏されることになる。
【００５１】
また、第２の装飾装置Ａ２については、上記の構成に加えて、音響装置（不図示）が更に備えられていることとしても良い。かかる音響装置は、照明部１５による光の照射に合わせて（調和させて）音楽や音を流す装置である。第２の装飾装置Ａ２に上記の音響装置が備えられていれば、上述した照明効果と音響装置による音響効果との調和によって、第２の装飾装置Ａ２が提供する演出の質（例えば、エンターテインメント性）を高めることが可能になる。
【００５２】
なお、本実施形態において、第２の装飾装置Ａ２は、スタンドテーブルであることとしたが、これに限定されるものではなく、例えば、スタンド部Ｓのみからなる支柱、あるいは、スタンド部Ｓを利用したテーブル以外の家具であってもよい。
【００５３】
＜＜その他の実施形態＞＞
上記の実施形態には、主として本発明の装飾装置について説明した。しかし、上記の実施形態は、本発明の理解を容易にするためのものであり、本発明を限定するものではない。本発明は、その趣旨を逸脱することなく、変更、改良され得ると共に、本発明にはその等価物が含まれることはもちろんである。
【００５４】
例えば、上記の実施形態では、装飾装置の一例として、家具や家庭用インテリアを例に挙げて説明したが、これに限定されるものではなく、装飾品として使用される限りにおいては、本発明の装飾装置は、制限なく利用可能である。
【符号の説明】
【００５５】
１  ポット、２  噴射部、３  衝突板、４  ミスト発生装置、５  照射部、
６  ノズル、６ａ  噴射口、６ｂ  ホース、７  ポンプ、８  ＬＥＤ照明、
１０  第１収容部、１１  第２収容部、１２  仕切板、１２ａ  貫通孔、
１３  落下管、１４  送液部、１５  照射部、１６  ノズル、
１６ａ  噴射口、１６ｂ  ホース、１７  ポンプ、１８  ＬＥＤ照明、
Ａ１  第１の装飾装置、Ａ２  第２の装飾装置、Ｈ  張り出し部、
Ｍ  水膜、Ｓ  スタンド部、Ｔ  渦巻
【図１】
0005809824.tif 000002
【図２】
0005809824.tif 000003
【図３】
0005809824.tif 000004
【図４】
0005809824.tif 000005
【図５】
0005809824.tif 000006
【図６】
0005809824.tif 000007
【図７】
0005809824.tif 000008
【図８】
0005809824.tif 000009
【図９】
0005809824.tif 000010